(57)【要約】【課題】  特定の会場においてディジタルカメラにて撮影された人物の写真プリントを行う際に、撮影したディジタル画像データの指定及び枚数の指定を簡便に行うことが可能な写真プリントシステムを提供する。【解決手段】  ディジタルカメラ１にて被撮影者Ａ，Ｂの撮影と同時に、ディジタルカメラ１から光による撮影したディジタル画像データの撮影番号を送信し、被撮影者にて持つタグ２にて光を検出し、撮影番号を当該タグ２の記憶部に記憶させる。ディジタルカメラ１からのディジタル画像データと撮影番号や撮影条件や撮影日時の画像管理情報をパソコン４にて外部記憶媒体３から読取り、ＲＦＩＤタグ読取り端末装置５を介してタグ２に記憶された撮影番号を取込むことで、特定の被撮影者を指定することで、被撮影者の画像データが検索されて写真プリンタ６にて写真プリントされる。【選択図】      図１                                                  
2005303751.tif 000002
【特許請求の範囲】
【請求項１】
撮影装置により撮影されたディジタル画像データを画像プリント指定装置による指定に基づいて写真プリンタにて写真プリントする写真プリントシステムであって、
前記撮影装置により被撮影者を撮影すると同時に前記被撮影者が保持するタグへ向けて当該撮影時点での撮影番号を光信号にて送信して前記タグに記憶させる手段を前記撮影装置に有し、
前記ディジタル画像データと前記タグからのデータとを取得して記憶する手段と、外部から指定されたタグ番号を基に前記ディジタル画像データを検索してそのディジタル画像データの写真プリントを前記写真プリンタに指示する手段とを前記画像プリント指定装置に有することを特徴とする写真プリントシステム。
【請求項２】
前記光信号は赤外光であり、
前記タグは、前記赤外光を受信する光センサを含むことを特徴とする請求項１記載の写真プリントシステム。
【請求項３】
前記画像プリント指定装置との間のデータ送受信を行うタグがＲＦＩＣ（Ｒａｄｉｏ  Ｆｒｅｑｕｅｎｃｙ  ＩＤｅｎｔｉｆｉｃａｔｉｏｎ）タグであることを特徴とする請求項１または請求項２記載の写真プリントシステム。
【請求項４】
前記撮影装置から前記タグに前記撮影番号と前記撮影装置の識別情報とを送信することを特徴とする請求項１から請求項３のいずれか記載の写真プリントシステム。
【請求項５】
前記撮影装置は、前記タグに対して前記光信号を一定時間送信することを特徴とする請求項１から請求項４のいずれか記載の写真プリントシステム。
【請求項６】
前記撮影装置は、前記タグに対して前記光信号を写真撮影を行うためのシャッタからの入力が復旧するまで送信し続けることを特徴とする請求項１から請求項４のいずれか記載の写真プリントシステム。
【請求項７】
前記画像プリント指定装置は、撮影したディジタル画像データに対応したタグ件数を基に前記撮影したディジタル画像データに対応した枚数を集計することを特徴とする請求項１から請求項６のいずれか記載の写真プリントシステム。
【請求項８】
前記タグは、前記撮影番号及び前記撮影装置を特定する識別情報とを少なくとも記憶することを特徴とする請求項１から請求項７のいずれか記載の写真プリントシステム。
【請求項９】
前記タグは、前記画像プリント指定装置に対して前記撮影番号と前記撮影装置を特定する識別情報と自タグを特定するタグ識別情報とを送信することを特徴とする請求項８記載の写真プリントシステム。
【請求項１０】
写真プリンタにて写真プリント可能なディジタル画像データを撮影する撮影装置であって、
被撮影者の撮影と同時に前記被撮影者が保持するタグへ向けて当該撮影時点での撮影番号を光信号にて送信して前記タグに記憶させる手段を有し、
外部から指定されたタグ番号を基に前記ディジタル画像データを検索してそのディジタル画像データを前記写真プリンタにて写真プリントさせることを特徴とする撮影装置。
【請求項１１】
赤外光を受信する前記タグの光センサに前記光信号として前記赤外光を出射する手段を含むことを特徴とする請求項１０記載の撮影装置。
【請求項１２】
前記タグに前記撮影番号と前記撮影装置の識別情報とを送信することを特徴とする請求項１０または請求項１１記載の撮影装置。
【請求項１３】
前記タグに対して前記光信号を一定時間送信することを特徴とする請求項１０から請求項１２のいずれか記載の撮影装置。
【請求項１４】
前記タグに対して前記光信号を写真撮影を行うためのシャッタからの入力が復旧するまで送信し続けることを特徴とする請求項１０から請求項１２のいずれか記載の撮影装置。
【請求項１５】
撮影したディジタル画像データに対応したタグ件数を基に前記撮影したディジタル画像データに対応した枚数を集計することを特徴とする請求項１０から請求項１４のいずれか記載の撮影装置。
【請求項１６】
前記タグが、前記撮影番号及び自装置を特定する識別情報とを少なくとも記憶することを特徴とする請求項１０から請求項１５のいずれか記載の撮影装置。
【請求項１７】
撮影装置により撮影されたディジタル画像データを写真プリンタにて写真プリントする写真プリントシステムにおいて前記写真プリンタにて写真プリントするディジタル画像データを指定する画像プリント指定装置であって、
被撮影者の撮影と同時に前記被撮影者が保持するタグへ向けて前記撮影装置から光信号にて送信されかつ前記タグに記憶された当該撮影時点での撮影番号と、前記ディジタル画像データとを取得して記憶する手段と、外部から指定されたタグ番号を基に前記ディジタル画像データを検索してそのディジタル画像データの写真プリントを前記写真プリンタに指示する手段とを有することを特徴とする画像プリント指定装置。
【請求項１８】
前記光信号が赤外光であり、前記タグが、前記赤外光を受信する光センサを含むことを特徴とする請求項１７記載の画像プリント指定装置。
【請求項１９】
自装置との間でデータ送受信を行うタグがＲＦＩＣ（Ｒａｄｉｏ  Ｆｒｅｑｕｅｎｃｙ  ＩＤｅｎｔｉｆｉｃａｔｉｏｎ）タグであることを特徴とする請求項１７または請求項１８記載の画像プリント指定装置。
【請求項２０】
前記撮影装置から前記タグに前記撮影番号と前記撮影装置の識別情報とを送信することを特徴とする請求項１７から請求項１９のいずれか記載の画像プリント指定装置。
【請求項２１】
前記撮影装置が、前記タグに対して前記光信号を一定時間送信することを特徴とする請求項１７から請求項２０のいずれか記載の画像プリント指定装置。
【請求項２２】
前記撮影装置が、前記タグに対して前記光信号を写真撮影を行うためのシャッタからの入力が復旧するまで送信し続けることを特徴とする請求項１７から請求項２０のいずれか記載の画像プリント指定装置。
【請求項２３】
撮影したディジタル画像データに対応したタグ件数を基に前記撮影したディジタル画像データに対応した枚数を集計することを特徴とする請求項１７から請求項２２のいずれか記載の画像プリント指定装置。
【請求項２４】
前記タグが、前記撮影番号及び前記撮影装置を特定する識別情報とを少なくとも記憶することを特徴とする請求項１７から請求項２３のいずれか記載の画像プリント指定装置。
【請求項２５】
前記タグが自装置に対して前記撮影番号と前記撮影装置を特定する識別情報と自タグを特定するタグ識別情報とを送信することを特徴とする請求項２４記載の画像プリント指定装置。
【請求項２６】
撮影装置により撮影されたディジタル画像データを写真プリンタにて写真プリントする写真プリントシステムを構成する画像プリント指定装置において前記写真プリンタにて写真プリントするディジタル画像データを指定する画像プリント指定方法であって、
前記画像プリント指定装置側に、前記撮影装置における被撮影者の撮影と同時に前記被撮影者が保持するタグへ向けて前記撮影装置から光信号にて送信されかつ前記タグに記憶された当該撮影時点での撮影番号と、前記ディジタル画像データとを取得して記憶するステップと、外部から指定されたタグ番号を基に前記ディジタル画像データを検索してそのディジタル画像データの写真プリントを前記写真プリンタに指示するステップとを有することを特徴とする画像プリント指定方法。
【請求項２７】
前記光信号が赤外光であり、前記タグが、前記赤外光を受信する光センサを含むことを特徴とする請求項２６記載の画像プリント指定方法。
【請求項２８】
前記画像プリント指定装置との間のデータ送受信を行うタグがＲＦＩＣ（Ｒａｄｉｏ  Ｆｒｅｑｕｅｎｃｙ  ＩＤｅｎｔｉｆｉｃａｔｉｏｎ）タグであることを特徴とする請求項２６または請求項２７記載の画像プリント指定方法。
【請求項２９】
前記撮影装置から前記タグに前記撮影番号と前記撮影装置の識別情報とを送信することを特徴とする請求項２６から請求項２８のいずれか記載の画像プリント指定方法。
【請求項３０】
前記撮影装置にて、前記タグに対して前記光信号を一定時間送信することを特徴とする請求項２６から請求項２９のいずれか記載の画像プリント指定方法。
【請求項３１】
前記撮影装置にて、前記タグに対して前記光信号を写真撮影を行うためのシャッタからの入力が復旧するまで送信し続けることを特徴とする請求項２６から請求項２９のいずれか記載の画像プリント指定方法。
【請求項３２】
前記画像プリント指定装置にて、撮影したディジタル画像データに対応したタグ件数を基に前記撮影したディジタル画像データに対応した枚数を集計することを特徴とする請求項２６から請求項３１のいずれか記載の画像プリント指定方法。
【請求項３３】
前記タグが、前記撮影番号及び前記撮影装置を特定する識別情報とを少なくとも記憶することを特徴とする請求項２６から請求項３２のいずれか記載の画像プリント指定方法。
【請求項３４】
前記タグは、前記画像プリント指定装置に対して前記撮影番号と前記撮影装置を特定する識別情報と自タグを特定するタグ識別情報とを送信することを特徴とする請求項３３記載の画像プリント指定方法。
【発明の詳細な説明】
【技術分野】
【０００１】
本発明は写真プリントシステム、撮影装置、画像プリント指定装置及びそれらに用いる画像プリント指定方法に関し、特にディジタルカメラで撮影した画像を写真プリントする際の枚数等の指定方法に関する。
【背景技術】
【０００２】
近年、ディジタルカメラの高画質化や操作の簡便化に伴って、ディジタルカメラが普及してきている。このディジタルカメラでは人物等の撮影時に、撮影した画像をディジタル画像データとして内部メモリや外部記憶媒体（メモリカード等）に記憶し、記憶したディジタル画像データをパーソナルコンピュータ（以下、パソコンとする）や写真プリンタへ取り込み、写真プリントしている（例えば、特許文献１参照）。
【０００３】
従来、結婚式や同窓会、あるいは特定の会議において、ある程度決まった人が多く集まる会場において、参加者をディジタルカメラにて撮影し、撮影したディジタル画像データを写真プリントする場合、ディジタル画像ファイルにはＴＩＦＦ（Ｔａｇｇｅｄ  Ｉｍａｇｅ  Ｆｉｌｅ  Ｆｏｒｍａｔ）やＪＰＥＧ（Ｊｏｉｎｔ  Ｐｈｏｔｏｇｒａｐｈｉｃ  Ｅｘｐｅｒｔｓ  Ｇｒｏｕｐ）形式の画像データと、撮影した日時や撮影条件からなる管理情報とが記憶されている。
【０００４】
しかしながら、ディジタル画像ファイルにおいては、場所や人物の情報が撮影と関連付けられて記憶されておらず、撮影した画像から被撮影者である人物を識別し、撮影した画像データや写真プリントする枚数を決めなければならず、特定の被撮影者に対応する写真プリントを行うことが容易ではなく、手間がかかる。      
【０００５】
一方、遊園地やアトラクション会場にカメラを設置しておき、そのカメラからの映像を希望するユーザにＲＦＩＤ（Ｒａｄｉｏ  Ｆｒｅｑｕｅｎｃｙ  ＩＤｅｎｔｉｆｉｃａｔｉｏｎ）を渡しておき、ユーザがカメラの撮影エリアに入った時に自動的に撮影した画像とＲＦＩＤからのユーザ識別情報とを対応させて画像サーバに蓄積する方法が提案されている（例えば、特許文献２参照）。
【０００６】
ユーザは付与されたユーザ識別情報を用い、端末から画像サーバにアクセスすることで、自らが会場内で撮影された映像データを画像サーバから取得することができ、その映像データを写真プリントすることも可能である。
【０００７】
ＲＦＩＤについては、１３５ＫＨｚや１３．５６ＭＨｚ、及び２．４５ＧＨｚの周波数が使用され、非接触ＩＣ（集積回路）タグとして利用されているが、２．４５ＧＨｚでかつ無電地型であれば数１０センチであるが、電池内蔵型では数ｍの距離まで読取り可能であり、また直進性がある。
【０００８】
また、登録対象の物品を撮影する際に、撮影した物品の画像と物品に添付された無線ＩＤタグから読取った識別情報とを対応付けて記憶する方法が提案されている（例えば、特許文献３参照）。この方法の場合には、撮影対象以外の物品に添付された無線ＩＤタグから識別情報を読取らないように、アンテナの指向性がカメラの焦点距離に応じて調整されている。
【０００９】
【特許文献１】特開２００１−１９７４０６号公報
【特許文献２】特開２００３−１５８７０７号公報
【特許文献３】特開２００４−０２９７４９号公報
【発明の開示】
【発明が解決しようとする課題】
【００１０】
上述した従来のディジタル画像データの写真プリント方法では、ディジタルカメラにて人物を撮影した時点で、撮影したディジタル画像データと、当該ディジタル画像データに対応した被撮影者である特定の人物の情報とが同時に記憶されていない。
【００１１】
したがって、従来のディジタル画像データの写真プリント方法では、ディジタルカメラにて撮影を行った後に、特定の人物である被撮影者の画像を写真プリントする場合、撮影した画像から被撮影者を識別して指定しなければならず、ディジタルカメラにて撮影したディジタル画像データやその写真プリントする枚数を指定することは容易ではない。
【００１２】
また、上記の特許文献２では、自動的に撮影した映像データとＲＦＩＤから取得したユーザ識別情報とを対応させて画像サーバに蓄積しているが、ユーザ識別情報を基に端末にて画像サーバから取得した映像データを写真プリントする場合には、映像データから静止画データを取出し、さらにユーザ自身を切り出して写真プリントしなければならず、上記と同様に、撮影したディジタル画像データの指定及び枚数の指定を簡便に行うことができないという問題がある。
【００１３】
さらに、上記の特許文献３では、撮影した物品の画像と物品に添付された無線ＩＤタグから読取った識別情報とを対応付けて記憶しているが、撮影した物品の画像を画面に表示し、表示中の物品の識別情報を確認するために用いられており、所望の画像を写真プリントする際に識別情報や画像そのものを確認しなければならず、やはり上記と同様に、撮影したディジタル画像データの指定及び枚数の指定を簡便に行うことができないという問題がある。
【００１４】
そこで、本発明の目的は上記の問題点を解消し、特定の会場においてディジタルカメラにて撮影された人物の写真プリントを行う際に、撮影したディジタル画像データの指定及び枚数の指定を簡便に行うことができる写真プリントシステム、撮影装置、画像プリント指定装置及びそれらに用いる画像プリント指定方法を提供することにある。
【課題を解決するための手段】
【００１５】
本発明による写真プリントシステムは、撮影装置により撮影されたディジタル画像データを画像プリント指定装置による指定に基づいて写真プリンタにて写真プリントする写真プリントシステムであって、
前記撮影装置により被撮影者を撮影すると同時に前記被撮影者が保持するタグへ向けて当該撮影時点での撮影番号を光信号にて送信して前記タグに記憶させる手段を前記撮影装置に備え、
前記ディジタル画像データと前記タグからのデータとを取得して記憶する手段と、外部から指定されたタグ番号を基に前記ディジタル画像データを検索してそのディジタル画像データの写真プリントを前記写真プリンタに指示する手段とを前記画像プリント指定装置に備えている。
【００１６】
本発明による撮影装置は、写真プリンタにて写真プリント可能なディジタル画像データを撮影する撮影装置であって、
被撮影者の撮影と同時に前記被撮影者が保持するタグへ向けて当該撮影時点での撮影番号を光信号にて送信して前記タグに記憶させる手段を備え、
外部から指定されたタグ番号を基に前記ディジタル画像データを検索してそのディジタル画像データを前記写真プリンタにて写真プリントさせている。
【００１７】
本発明による画像プリント指定装置は、撮影装置により撮影されたディジタル画像データを写真プリンタにて写真プリントする写真プリントシステムにおいて前記写真プリンタにて写真プリントするディジタル画像データを指定する画像プリント指定装置であって、
被撮影者の撮影と同時に前記被撮影者が保持するタグへ向けて前記撮影装置から光信号にて送信されかつ前記タグに記憶された当該撮影時点での撮影番号と、前記ディジタル画像データとを取得して記憶する手段と、外部から指定されたタグ番号を基に前記ディジタル画像データを検索してそのディジタル画像データの写真プリントを前記写真プリンタに指示する手段とを備えている。
【００１８】
本発明による画像プリント指定方法は、撮影装置により撮影されたディジタル画像データを写真プリンタにて写真プリントする写真プリントシステムを構成する画像プリント指定装置において前記写真プリンタにて写真プリントするディジタル画像データを指定する画像プリント指定方法であって、
前記画像プリント指定装置側に、前記撮影装置における被撮影者の撮影と同時に前記被撮影者が保持するタグへ向けて前記撮影装置から光信号にて送信されかつ前記タグに記憶された当該撮影時点での撮影番号と、前記ディジタル画像データとを取得して記憶するステップと、外部から指定されたタグ番号を基に前記ディジタル画像データを検索してそのディジタル画像データの写真プリントを前記写真プリンタに指示するステップとを備えている。
【００１９】
すなわち、本発明の画像プリント指定方法は、上記目的を達成するため、被撮影者に特定のＩＤ（識別情報）タグを手渡しておき、ディジタルカメラにて人物を撮影すると同時に、ディジタルカメラに搭載した光送信部からディジタルカメラ固有のカメラＩＤ番号及び撮影したディジタル画像データの撮影画像データファイル番号（以下、撮影番号とする）とともに、光によってＩＤタグへ向けて送信し、送信された送信信号を被撮影者が保持するＩＤタグの光センサ部にて検出するとともに、送信データであるカメラＩＤ番号及び撮影番号を識別取得し、順次当該ＩＤタグの記憶部に記憶させている。
【００２０】
本発明の画像プリント指定方法では、撮影後に、写真印刷装置であるパーソナルコンピュータにディジタルカメラに記憶されたディジタル画像データと、撮影番号及びカメラＩＤ番号、撮影日時、撮影条件等の画像管理情報と、当該ＩＤタグに記憶されたカメラＩＤ番号や撮影番号、及びタグＩＤ番号を取込み、パーソナルコンピュータにてディジタルカメラからのディジタル画像データに対応する撮影番号と、当該ＩＤタグからの撮影番号に一致したタグＩＤ番号とを関連付けることで、被撮影者の保持するタグであるタグＩＤ番号を指定することで、特定の被撮影者を写真プリントすることが可能となる。
【００２１】
これによって、本発明の画像プリント指定方法では、被撮影者が保持するＩＤタグ番号とディジタル画像データとを関連付けることで、タグＩＤ番号を指定すれば特定の人物を指定することが可能となるので、ディジタル画像データを写真プリントする時点で、ディジタル画像データにて人物を指定することなく、ディジタル画像データと人物が持つＩＤタグからのデータとをパーソナルコンピュータに読取らせることで、被撮影者のタグＩＤ番を指定するだけで、ディジタル画像データを検索して写真プリントすることが可能となる。
【００２２】
また、本発明の画像プリント指定方法では、撮影番号に対応した個人タグＩＤ番号を集計することで、個人タグＩＤが関連付けられた撮影番号に撮影された人物が含まれており、その被撮影者の人数分を集計することが可能となるので、撮影された被撮影者の人数を集計し、ディジタル画像データの枚数を容易に印字することが可能となる。
【発明の効果】
【００２３】
本発明は、以下に述べるような構成及び動作とすることで、特定の会場においてディジタルカメラにて撮影された人物の写真プリントを行う際に、撮影したディジタル画像データの指定及び枚数の指定を簡便に行うことができるという効果が得られる。
【発明を実施するための最良の形態】
【００２４】
次に、本発明の実施例について図面を参照して説明する。図１は本発明の一実施例による写真プリントシステムの構成を示すブロック図である。図１において、本発明の一実施例による写真プリントシステムはディジタルカメラ１と、タグ２と、外部記憶媒体（例えば、メモリカード等）３と、ディジタル画像プリント装置であるパーソナルコンピュータ（以下、パソコンとする）４と、ＲＦＩＤ（Ｒａｄｉｏ  Ｆｒｅｑｕｅｎｃｙ  ＩＤｅｎｔｉｆｉｃａｔｉｏｎ）タグ読取り端末装置５と、写真プリンタ６とから構成されている。
【００２５】
タグ２は被撮影者が撮影時に所持するＲＦＩＤタグであり、被撮影者に識別可能なＩＤ（ＩＤｅｎｔｉｆｉｅｒ）番号（識別情報）を記憶する記憶部と、光センサ部とを持っている。
【００２６】
ディジタルカメラ１は被撮影者の撮影毎に、カメラ固有のカメラＩＤ番号と、撮影したディジタル画像データのファイル番号（撮影番号）とを光信号（例えば、赤外光による信号）によって発光送信する機能を備えている。撮影毎に光信号に含まれる情報であるカメラＩＤ番号と撮影番号とはタグ２によって識別され、その識別されたカメラＩＤ番号と撮影番号とはタグ２の記憶部へ記憶され、撮影後に、ディジタルカメラ１にて撮影されたディジタル画像データと画像データの撮影番号に対応した撮影日時、時刻、撮影条件及び撮影番号の情報とともに外部記憶媒体３に記憶される。
【００２７】
パソコン４は外部記憶媒体３からディジタル画像データと画像データの撮影番号に対応した撮影日時、時刻、撮影条件及び撮影番号の情報とを読み込む。ＲＦＩＤタグ読取り端末装置５はＲＦ送受信部を持つタグ２から、そのタグ２に記憶されたタグ情報のデータを読取り、読取った情報をパソコン４に送信する。
【００２８】
パソコン４は特定の被撮影者のタグＩＤ番号が外部から指定されることで、撮影された被撮影者のディジタル画像データの検索と写真プリンタ６による写真プリントとを行うことができる。
【００２９】
図２は図１のディジタルカメラ１の構成を示すブロック図である。図２において、ディジタルカメラ１はディジタルカメラ撮影機能である撮影部１１と、シャッタや撮影条件及び日時、時刻等の入力部１２と、撮影した時点の撮影日時、時刻、撮影条件、撮影番号を発生させる撮影情報発生部１３と、カメラＩＤ番号記憶部１４と、撮影したディジタル画像データ等を記憶する外部記憶媒体３からディジタル画像データ等を取込む外部記憶ＩＦ（インタフェース）部１５と、全体の制御を行う制御部１６と、撮影番号を光信号へ変換する送信データ変換部１７と、光信号を発生させる光発光部１８と、ディジタル画像データを表示する表示部１９と、電源部２０とから構成されており、外部記憶ＩＦ部１５には外部記憶媒体３が挿抜自在となっている。
【００３０】
図３は図１のタグ２の構成を示すブロック図である。図３において、タグ２は撮影される人物が持つＲＦＩＤタグであり、ディジタルカメラ１から撮影時点で発光された光を受光する光センサ部２１と、光センサ部２１で受光した光によって送られてきたデータからカメラＩＤ番号と撮影番号とを識別するデータ識別部２２と、全体を制御する制御部２３と、タグ固有のＩＤ番号を記憶したＩＤ記憶部２４と、識別したカメラＩＤ番号と撮影番号とを記憶する記憶部２５と、記憶された情報であるカメラＩＤ番号と撮影番号及びＩＤ記憶部２４からのタグＩＤ番号とを外部へ送るＲＦタグの送受信部２６と、送受信用のアンテナ２７と、電源部２８とから構成されている。尚、送受信部２６は無線による接続でなくとも、コネクタによる有線接続でもよい。
【００３１】
図４は図１の外部記憶媒体３の構成を示す図である。図４において、外部記憶媒体３はディジタルカメラ１によって撮影された画像を撮影毎にディジタル画像データファイル３１として記憶し、パソコン４との間でディジタル画像データファイル３１のデータとのやりとりを行うＩＦ部３４を備えている。
【００３２】
ディジタル画像ファイル３１はディジタルカメラ１によって撮影されたディジタル画像データ３２と、そのディジタル画像データ３２に対応した撮影番号や撮影条件、及び撮影日時の撮影情報３３とからなっている。
【００３３】
図５は図１のタグ２とそのタグ２を所持する参加者とのリストを示す図である。図５において、リストにはタグ（「タグａ」，「タグｂ」，「タグｃ」，「タグｄ」）と、タグＩＤ番号（「０００１」，「０００２」，「０００３」，「０００４」）と、参加者名（「Ａさん」，「Ｂさん」，「Ｃさん」，「Ｄさん」）とが対応付けられている。
【００３４】
図６（ａ），（ｂ）は図１のタグ２に記憶される画像データ及び撮影情報の記憶リスト例を示す図である。図６（ａ）において、リストには人物（Ａさん）に持たせるタグＩＤ番号（「０００１」）と、タグ２の記憶部２５に記憶されたディジタルカメラＩＤ番号と撮影番号との情報（「Ｐ０１−００１」，「Ｐ０１−００２」）とが記憶されている。
【００３５】
図６（ｂ）において、リストには人物（Ｂさん）に持たせるタグＩＤ番号（「０００２」）と、タグ２の記憶部２５に記憶されたディジタルカメラＩＤ番号と撮影番号との情報（「Ｐ０１−００１」，「Ｐ０１−００３」，「Ｐ０１−００４」）とが記憶されている。ここで、「Ｐ０１」はディジタルカメラＩＤ番号であり、「００１」，「００２」，「００３」，「００４」は撮影番号である。
【００３６】
図７は図１のパソコン４における撮影番号に対応するタグＩＤ番号と、集計した印刷枚数とのリスト例を示す図である。図７において、リストには識別番号、撮影番号（「Ｐ０１−００１」，「Ｐ０１−００２」，「Ｐ０１−００３」，「Ｐ０１−００４」）と、Ａさん、Ｂさん、Ｃさん、Ｄさん各々のタグＩＤ番号（「０００１」，「０００２」，「０００３」，「０００４」）毎の枚数とが記憶されており、識別番号、撮影番号毎の合計枚数とタグＩＤ番号毎の合計枚数とが集計されて記憶されている。
【００３７】
図８は本発明の一実施例による写真プリントシステムの動作を示すシーケンスチャートである。図８においては、ディジタルカメラ１による撮影から写真プリンタ６による写真プリントまでの流れを示している。これら図１〜図８を参照して本発明の一実施例による写真プリントシステムの動作について説明する。
【００３８】
参加者である人物に、タグ２をＲＦＩＤタグ読取り装置５から読込んだタグＩＤ番号とパソコン４にて入力した参加者とを図５に示すリストとしてパソコン４に記憶させ（図８のａ１）、参加者にタグ２を渡し、胸ポケットや胸の部分でディジタルカメラ１からの光が検出できる部分へ取付けてもらう（図８のａ２）。本実施例では、参加者Ａさんに対応したタグ２ａを、参加者Ｂさんにタグ２ｂを予め渡しておく。
【００３９】
図５に示すリストでは、Ａさんのタグａが「０００１」のタグＩＤ番号、Ｂさんのタグｂが「０００２」、Ｃさんのタグｃが「０００３」、Ｄさんのタグｓが「０００４」のタグＩＤ番号として、それぞれ個別のＩＤ番号として人物に対応させてパソコン４に記憶させておく。
【００４０】
ディジタルカメラ１に外部記憶媒体３を取付けて撮影を開始し、タグ２を付けた参加者を撮影する（図８のａ３）。ディジタルカメラ１による撮影時点で、撮影部１１にて撮影したディジタル画像データと、当該ディジタル画像データに対応させて撮影情報発生部１３にて撮影番号を発生させて関連付けるとともに、その他の撮影日時、撮影条件を含めた情報を撮影情報３３として外部記憶媒体３に記憶する（図８のａ５）。
【００４１】
また同時に、ディジタルカメラ１はカメラＩＤ番号記憶部１４からのカメラＩＤ番号と、撮影情報発生部１３にて発生させた撮影番号とを含めて、送信データ変換部１７によって送信データに変換し、光発光部１８から光をタグ２へ向けて送信する（図８のａ４）。
【００４２】
タグ２では、ディジタルカメラ１によって撮影が行われた時点で、光発光部１８にて発光送信された光を光センサ２１によって検出すると同時に、データ識別部２２によって光からの情報を識別し、識別したカメラＩＤ番号、撮影番号をタグ２の記憶部２５へ撮影毎に順次記憶する（図８のａ６）。
【００４３】
撮影が終わり、ディジタルカメラ１のディジタル画像データ３２と撮影情報３３とが記憶された外部記憶媒体３を写真印刷装置であるパソコン４に接続し、図４に示す撮影毎に記憶したディジタル画像データ３２と、カメラＩＤ番号、撮影番号、撮影日時及び撮影条件を含んだ撮影情報３３とに対応したディジタル画像データファイル３１を取込む。
【００４４】
また、撮影終了後に参加者からタグ２を回収し、タグ２をＲＦＩＤタグ読取り装置５によってタグ２内の記憶部２４に記憶されたタグ情報をパソコン４に取り込む。図６に示すタグ２に記憶されたリストには、ＡさんのタグａであるタグＩＤ番号「０００１」に撮影された識別番号であるカメラＩＤ番号「Ｐ０１」と、撮影番号「００１」，「００２」とが記憶されており、また同様に、ＢさんのタグｂであるタグＩＤ番号「０００２」に撮影された識別番号であるカメラＩＤ番号「Ｐ０１」と、撮影番号「００１」，「００３」，「００４」とが記憶されている。尚、カメラＩＤ番号はディジタルカメラ１が特定してされる場合には、不要とすることもできる。
【００４５】
パソコン４では特定の被撮影者が保持するタグ２に記憶された撮影番号を読込んで、タグデータと画像データとを対応付けることで、撮影番号に対応するディジタルカメラ１からのディジタル画像データを指定することができ、特定の被撮影者の写真プリントを容易に行うことができる。
【００４６】
パソコン４は外部記憶媒体３から図４に示す記憶されたディジタル画像ファイル３１を取込むことで、画像データ３２とカメラＩＤ番号及び撮影番号を含む撮影情報３３とを取込み、タグ２から図５に示すタグＩＤ番号に対応したカメラＩＤ番号と撮影番号とを取込み、この図４に示すカメラＩＤ番号と撮影番号とに対応したタグ２からの当該同一のカメラＩＤ番号と撮影番号とから，図７に示す特定の被撮影者に対応したタグＩＤ番号の識別番号から撮影番号をリスト化することができるので、被撮影者が保持するタグ２から特定の被撮影者の写真プリントを容易に行うことができる。
【００４７】
上記のリスト化された情報はパソコン４のディスプレイに表示された後に、このリストにて、撮影番号に対応した枚数が写真プリンタ５にて写真印字される。このパソコン４への表示から写真プリンタ５による写真印字までの処理については公知であるので、その処理の説明は省略する。
【００４８】
図９は本発明の他の実施例によるディジタルカメラの構成を示すブロック図である。図９において、本発明の他の実施例は送信データ変換部１７と光発光部１８とからなる発光媒体８をディジタルカメラ７から分離して付属品とし、ディジタルカメラ７と発光媒体８とをＩＦ部７１，８１にて接続するようにした以外は図２に示す本発明の一実施例によるディジタルカメラ１と同様の構成となっており、同一構成要素には同一符号を付してある。また、同一構成要素の動作は上述した本発明の一実施例と同様であるので、その説明は省略する。
【００４９】
図１０は本発明の別の実施例によるタグの構成を示すブロック図である。図１０において、本発明の別の実施例は送受信部２６及び送受信用のアンテナ２７の代わりにＩＦ部９１を設けた以外は図３に示す本発明の一実施例によるタグ２と同様の構成となっており、同一構成要素には同一符号を付してある。また、同一構成要素の動作は上述した本発明の一実施例と同様であるので、その説明は省略する。
【００５０】
本実施例によるタグ９ではＩＦ部９１がパソコン４に有線接続するための接続端子を持っており、パソコン４とＵＳＢ（Ｕｎｉｖｅｒｓａｌ  Ｓｅｒｉａｌ  Ｂｕｓ）にてシリアル接続される。この場合、タグ９がパソコン４に直接接続されるので、ＲＦＩＤタグ読取り端末装置５は不要となる。
【００５１】
図１１は本発明のさらに別の実施例によるタグの構成を示すブロック図である。図１１において、本発明のさらに別の実施例は送受信部２６及び送受信用のアンテナ２７の代わりに光発光部１０１を設けた以外は図３に示す本発明の一実施例によるタグ２と同様の構成となっており、同一構成要素には同一符号を付してある。また、同一構成要素の動作は上述した本発明の一実施例と同様であるので、その説明は省略する。
【００５２】
本実施例によるタグ１０では光発光部１０１を介してタグ１０に記憶したデータをパソコン４に送信する。したがって、タグ１０がパソコン４に直接接続されるので、ＲＦＩＤタグ読取り端末装置５は不要となる。
【００５３】
尚、上述した各実施例では、パソコン４に取込まれた外部記憶媒体３からの撮影番号に対応しかつタグ２から読込まれたタグ情報であるカメラＩＤ番号と撮影番号とタグＩＤ番号とに基づいて、外部記憶媒体３に対応する撮影番号とタグ情報からのタグＩＤ番号に対応した撮影番号とが一致するタグＩＤ番号の集計をパソコン４で行うことで、撮影番号に対する枚数の集計化も容易に行うことができる。
【００５４】
このように、本発明では、被撮影者が保持するＩＤタグ番号をディジタル画像データに関連付けることで、タグＩＤ番号を指定すれば、特定の人物のディジタル画像データを指定することができるので、ディジタル画像データを写真プリントする時点で、ディジタル画像データを表示させて人物を指定することなく、デジタル画像データと人物がもつタグからのデータとをパソコン４に読取らせ、被撮影者のタグＩＤ番を指定するだけで、ディジタル画像データを検索して写真プリントすることができる。
【００５５】
また、本発明では、撮影番号に対応した個人タグＩＤ番号を集計することで、個人タグＩＤ番号が関連付けられた撮影番号に撮影された人物が含まれており、その被撮影者の人数分を集計することができるので、撮影された被撮影者の人数を集計することができ、ディジタル画像データを被撮影者の枚数だけ写真プリントすることができる。
【図面の簡単な説明】
【００５６】
【図１】本発明の一実施例による写真プリントシステムの構成を示すブロック図である。
【図２】図１のディジタルカメラの構成を示すブロック図である。
【図３】図１のタグの構成を示すブロック図である。
【図４】図１の外部記憶媒体の構成を示す図である。
【図５】図１のタグとそのタグを所持する参加者とのリストを示す図である。
【図６】（ａ），（ｂ）は図１のタグに記憶される画像データ及び撮影情報の記憶リスト例を示す図である。
【図７】図１のパソコンにおける撮影番号に対応するタグＩＤ番号と、集計した印刷枚数とのリスト例を示す図である。
【図８】本発明の一実施例による写真プリントシステムの動作を示すシーケンスチャートである。
【図９】本発明の他の実施例によるディジタルカメラの構成を示すブロック図である。
【図１０】本発明の別の実施例によるタグの構成を示すブロック図である。
【図１１】本発明のさらに別の実施例によるタグの構成を示すブロック図である。
【符号の説明】
【００５７】
１，７  ディジタルカメラ
２，２ａ，２ｂ，９，１０  タグ
３  外部記憶媒体
４  パーソナルコンピュータ
５  ＲＦＩＤタグ読取り端末装置
６  写真プリンタ
８  発光媒体
１１  撮影部
１２  入力部
１３  撮影情報発生部
１４  カメラＩＤ番号記憶部
１５  外部記憶ＩＦ部
１６，２３  制御部
１７  送信データ変換部
１８，１０１  光発光部
１９  表示部
２０，２８  電源部
２１  光センサ部
２２  データ識別部
２４  ＩＤ記憶部
２５  記憶部
２６  送受信部
２７  アンテナ
３１  ディジタル画像データファイル
３２  ディジタル画像データ
３３  撮影情報
３４，７１，８１，９１  ＩＦ部
【図１】
2005303751.tif 000003
【図２】
2005303751.tif 000004
【図３】
2005303751.tif 000005
【図４】
2005303751.tif 000006
【図５】
2005303751.tif 000007
【図６】
2005303751.tif 000008
【図７】
2005303751.tif 000009
【図８】
2005303751.tif 000010
【図９】
2005303751.tif 000011
【図１０】
2005303751.tif 000012
【図１１】
2005303751.tif 000013